(57)【要約】【課題】視認性が低く、短絡の発生が低減された光透過性導電材料を提供する。【解決手段】基材上に、金属パターンからなるセンサー部とダミー部とを有する光透過性導電材料であって、該センサー部が有する金属パターンは任意の形状を有する１つ以上の単位図形が繰り返してなる金属パターンであり、該ダミー部は任意の形状を有し、かつ断線部を有する単位図形が繰り返してなる金属パターンであり、該センサー部と該ダミー部の単位図形の繰り返し周期は同じ方向において等しく、かつセンサー部の単位図形の形状とダミー部の単位図形の形状が合同でない（ただし、断線によってダミー部の単位図形がセンサー部の単位図形と合同でなくなる場合を除く）ことを特徴とする光透過性導電材料。【選択図】図２
2015156210.tif 000002
【特許請求の範囲】
【請求項１】
基材上に、金属パターンからなるセンサー部とダミー部とを有する光透過性導電材料であって、該センサー部が有する金属パターンは任意の形状を有する１つ以上の単位図形が繰り返してなる金属パターンであり、該ダミー部は任意の形状を有し、かつ断線部を有する単位図形が繰り返してなる金属パターンであり、該センサー部と該ダミー部の単位図形の繰り返し周期は同じ方向において等しく、かつセンサー部の単位図形の形状とダミー部の単位図形の形状が合同でない（ただし、断線によってダミー部の単位図形がセンサー部の単位図形と合同でなくなる場合を除く）ことを特徴とする光透過性導電材料。
【請求項２】
センサー部とダミー部の開口率の差が±１％以内である請求項１に記載の光透過性導電材料。
【請求項３】
ダミー部の単位図形の形状が、センサー部が有する単位図形の辺をそれぞれの辺が重ならないよう平行移動させた形状である請求項１または２に記載の光透過性導電材料。
【請求項４】
ダミー部の単位図形の形状が、センサー部が有する単位図形の辺を任意の長さに分割し、それぞれの辺が重ならないよう平行移動させた形状である請求項１または２に記載の光透過性導電材料。
【請求項５】
ダミー部の単位図形の形状が、センサー部が有する単位図形の辺の任意の位置を中心として、それぞれの辺が重ならないよう、任意の方向に回転させた形状である請求項１または２に記載の光透過性導電材料。
【請求項６】
ダミー部の単位図形の形状が、センサー部が有する金属パターンの等価単位図形の少なくとも２種を、それぞれの等価単位図形の辺が重ならないよう配置した形状である請求項１または２に記載の光透過性導電材料。
【請求項７】
ダミー部の単位図形の形状が、センサー部が有する金属パターンの最小の繰り返し図形の内、辺を共有しない関係にある複数のものを、それぞれが接しないよう配置した形状である請求項１または２に記載の光透過性導電材料。
【発明の詳細な説明】
【技術分野】
【０００１】
本発明は、タッチパネル、有機ＥＬ材料、太陽電池などに用いられる光透過性導電材料に関し、特に投影型静電容量方式タッチパネルに好適に用いられる光透過性導電材料に関するものである。
【背景技術】
【０００２】
ＰＤＡ（パーソナル・デジタル・アシスタント）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルでは、光透過性導電材料と透明導電体層付ガラスとがスペーサーを介して対向配置されており、光透過性導電材料に電流を流し透明導電体層付ガラスにおける電圧を計測するような構造となっている。一方、静電容量方式のタッチパネルでは、タッチセンサーとなる光透過性電極として、基材上に透明導電体層を有する光透過性導電材料を基本的構成とし、可動部分がないことを特徴とすることから、高い耐久性と高い光透過性を有するため、様々な用途において適用されている。更に、投影型静電容量方式のタッチパネルは多点同時検出ができることから、スマートフォンやタブレットＰＣなどに広く用いられている。
【０００４】
一般にタッチパネルに用いられる光透過性導電材料としては、基材上にＩＴＯ（酸化インジウムスズ）導電膜からなる光透過性導電層が形成されたものが使用されてきた。しかしながら、ＩＴＯ導電膜は屈折率が大きく、光の表面反射が大きいため、光透過性導電材料の光透過性が低下する問題や、ＩＴＯ導電膜は可撓性が低いため、光透過性導電材料を屈曲させた際にＩＴＯ導電膜に亀裂が生じて光透過性導電材料の電気抵抗値が高くなる問題があった。
【０００５】
ＩＴＯ導電膜からなる光透過性導電層を有する光透過性導電性材料に代わる光透過性導電材料として、基板上に薄い触媒層を形成し、その上にレジストパターンを形成した後、めっき法によりレジスト開口部に金属層を積層し、最後にレジスト層およびレジスト層で保護された下地金属を除去することにより、金属からなる導電性パターンを形成するセミアディティブ方法が提案されている。
【０００６】
また近年、銀塩拡散転写法を用いた銀塩写真感光材料を導電性材料前駆体として用いる方法も提案されている。この方法では、基材上に物理現像核層とハロゲン化銀乳剤層を少なくともこの順に有する導電性材料前駆体を所望するパターンで露光した後、可溶性銀塩形成剤および還元剤をアルカリ液中で作用させて、金属銀パターンを形成させる技術が開示されている。この方式によるパターニングは均一な線幅を再現することができる。また、この方式で作製した金属銀パターンは、バインダー成分を実質的に含有しない現像銀（金属銀）から構成され、銀は金属の中で最も導電性が高いため、他方式に比べ、より細い線幅で高い導電性を得ることができる。更に、この方法で得られた銀パターン膜はＩＴＯ導電膜よりも可撓性が高く、屈曲に強いという利点がある。
【０００７】
一般に投影型静電容量方式を用いたタッチパネルでは、センサー部として複数の列電極が同一平面上にパターニングされた光透過性導電材料を２枚貼り合わせることでタッチセンサーを構成している。このようなタッチセンサーにおいては複数のセンサー部のみでタッチセンサーを構成するとセンサー部のみが目立ってしまうため、センサー部以外の部分にセンサー部と導通のないダミー部を配置することが一般に行われる。通常、タッチパネルは作業者が画面を凝視し操作するため、センサー部とダミー部との差が目に映ってしまう（視認性が高い）という問題があった。特に、センサー部としてとして金属パターンを用いる場合、金属パターン自体が目に映るという問題もあるため、金属パターンからなる光透過性導電材料を用いて上記投影型静電容量方式のタッチパネルを作製した場合、センサー部とダミー部からなる金属パターンの視認性が高いという問題がとりわけ顕著に現れる。
【０００８】
この問題に対し、特許文献１ではスリットにより網目状金属パターンを分割することでセンサー部を設ける方法が開示されている。この方法では、スリット幅を２０μｍ以上かつ網目の最大寸法以下にし、かつスリットが網目の交点を通らないようすることで、金属パターンの視認性を下げようとしている。しかしながら、スリット幅が２０μｍであってもセンサー部の輪郭は視認される。また、スリットが網目の交点を通らないようにしても、金属パターンの視認性を十分に低下させることはできなかった。また、特許文献２では直線的なスリットの視認性を下げるため、スリットを直線的に作らないよう工夫することが提案されているが、金属パターンの視認性を低下させることに関して十分満足できるものではなかった。
【０００９】
また、投影型静電容量方式を用いたタッチパネルの作製において、上記したようなスリットを利用してセンサー部間にダミー部を設けた場合、例えば異物の混入等によりセンサー部間で短絡が生じてしまう場合があった。このような短絡が生じるとタッチパネルの感度（位置を検出する精度）が低下する。一方、この感度低下を防止するためには、例えば特許文献３に記載されるような単位図形の一部あるいは単位図形の複数箇所に断線部を設けた金属パターンからなるダミー部を設けることが知られている。また、金属パターンの視認性を低下させる目的から、該ダミー部の単位図形として、センサー部の単位図形と合同な図形に断線部を設けて利用することが知られている。しかしながら、このような方法でダミー部とセンサー部を形成した場合、断線部を設けたことで、センサー部の光透過性よりもダミー部の光透過性が高くなってしまう。このため金属パターンの視認性の点で満足しうるものではなかった。
【００１０】
特許文献４ではダミー部をドットで形成して、センサー部とダミー部の全光線透過率を同じにして視認性を揃えようとしている。しかしながら、金属パターンとドットでは凝視した際にどうしてもその違いが目につくため、やはり金属パターンの視認性の点で満足しうるものではなかった。
【先行技術文献】
【特許文献】
【００１１】
【特許文献１】特開２００６−３４４１６３号公報
【特許文献２】特開２０１１−５９７７１号公報
【特許文献３】国際公開第２０１３／０９４７２８号パンフレット
【特許文献４】特開２０１１−２５３２６３号公報
【発明の概要】
【発明が解決しようとする課題】
【００１２】
本発明の課題は、静電容量方式を用いたタッチパネルの光透過性電極として好適な、金属パターンの視認性が低く、短絡の発生が低減された光透過性導電材料を提供することである。
【課題を解決するための手段】
【００１３】
基材上に、金属パターンからなるセンサー部とダミー部とを有する光透過性導電材料であって、該センサー部が有する金属パターンは任意の形状を有する１つ以上の単位図形が繰り返してなる金属パターンであり、該ダミー部は任意の形状を有し、かつ断線部を有する単位図形が繰り返してなる金属パターンであり、該センサー部と該ダミー部の単位図形の繰り返し周期は同じ方向において等しく、かつセンサー部の単位図形の形状とダミー部の単位図形の形状が合同でない（ただし、断線によってダミー部の単位図形がセンサー部の単位図形と合同でなくなる場合を除く）ことを特徴とする光透過性導電材料によって、上記の課題は基本的に解決される。
【００１４】
ここで、センサー部とダミー部の開口率の差が±１％以内であることが好ましい。ダミー部の単位図形の形状が、センサー部が有する単位図形の辺をそれぞれの辺が重ならないよう平行移動させた形状であることが好ましい。また、ダミー部の単位図形の形状が、センサー部が有する単位図形の辺を任意の長さに分割し、それぞれの辺が重ならないよう平行移動させた形状であることが好ましい。また、ダミー部の単位図形の形状が、センサー部が有する単位図形の辺の任意の位置を中心として、それぞれの辺が重ならないよう、任意の方向に回転させた形状であることが好ましい。また、ダミー部の単位図形の形状が、センサー部が有する金属パターンの等価単位図形の少なくとも２種を、それぞれの等価単位図形の辺が重ならないよう配置した形状であることが好ましい。また、ダミー部の単位図形の形状が、センサー部が有する金属パターンの最小の繰り返し図形の内、辺を共有しない関係にある複数のものを、それぞれが接しないよう配置した形状であることが好ましい。
【発明の効果】
【００１５】
本発明により、金属パターンの視認性が低く、短絡の発生が低減された光透過性導電材料を提供することができる。
【図面の簡単な説明】
【００１６】
【図１】本発明の光透過性導電材料の一例を示す概略図である。
【図２】図１に示した光透過性導電材料のセンサー部の拡大図である。
【図３】図１に示した光透過性導電材料のセンサー部とダミー部の拡大図である。
【図４】図３のセンサー部１１とダミー部１２を更に拡大した図である。
【図５】図１に示した光透過性導電材料のセンサー部とダミー部の別の一例を示す拡大図である。
【図６】センサー部とダミー部の別の一例を示す拡大図である。
【図７】本発明の好ましいダミー部の単位図形を説明する概略図である。
【図８】センサー部が有する金属パターンの等価単位図形の一例を示した図である。
【図９】センサー部が有する金属パターンの等価単位図形を用いて形成したダミー部を有する光透過性導電材料のセンサー部とダミー部の拡大図である。
【図１０】センサー部とダミー部の別の一例を示す拡大図である。
【図１１】比較例で用いたセンサー部とダミー部の拡大図である。
【発明を実施するための形態】
【００１７】
以下、本発明について詳細に説明するにあたり、図面を用いて説明するが、本発明はその技術的範囲を逸脱しない限り様々な変形や修正が可能であり、以下の実施形態に限定されないことは言うまでもない。
【００１８】
図１は本発明の光透過性導電材料の一例を示す概略図である。本発明の光透過性導電材料１は基材２の上に少なくとも金属パターンを有するセンサー部１１と、同じく金属パターンを有するダミー部１２とを有する。センサー部１１は配線部１４を介して端子部１５に電気的に接続しており、この端子部１５を通して外部に電気的に接続することで、センサー部１１で感知した静電容量の変化を捉えることができる。一方、ダミー部１２は配線部１４を介して端子部１５に電気的に接続されていない。このように配線部１４に電気的に接続されていない金属パターンは本発明において、全てダミー部１２と称する。なお、図１においてセンサー部１１とダミー部１２は、それらの領域を表すために便宜上格子模様で表している。１３は非画像部（金属パターンが無い部分）である。
【００１９】
図２は図１に示した光透過性導電材料のセンサー部の拡大図である。
本発明において「単位図形」とは、任意の形状の図形を繰り返して配置することにより金属パターンが形成される際の繰り返し単位をいう。図２においてセンサー部１１は、図中に便宜上（以下の図面でも同様）太線で図示した単位図形１０１１を繰り返して配置することで形成されている。さらに図２のセンサー部１１は、単位図形１０１１が４つ集まってできた単位図形１０１２（図中太線で図示）から形成された図形でもある。
【００２０】
図３は、図１に示した光透過性導電材料のセンサー部とダミー部の拡大図である。図３において、実在しない仮の境界線Ｒで、ダミー部１２とセンサー部１１とは電気的に絶縁されている。図３においてセンサー部１１は、単位図形１０１１（図中太線で図示）を周期的に配置することで構成され、該単位図形１０１１は隣り合う別の単位図形との間で導通している。一方、図３のダミー部１２は、単位図形１０２１（図中太線部）を周期的に配置することで構成され、該単位図形１０２１は断線部Ｃを有する。ここでセンサー部１１を構成する単位図形１０１１のｘ方向の周期長さ３１と、ダミー部１２を構成する単位図形１０２１のｘ方向の周期長さ３２は等しく、またセンサー部１１を構成する単位図形１０１１のｙ方向の周期長さ３１′と、ダミー部１２を構成する単位図形１０２１のｙ方向の周期長さ３２′も等しい。そうすると、本発明においてセンサー部の単位図形の形状とダミー部の単位図形の形状が合同であるか否かを判断する際、センサー部１１の単位図形１０１１と対比すべきダミー部の単位図形は、単位図形１０２１となる。そして図３において、単位図形１０１１と単位図形１０２１の形状は合同でないから、図３は本発明の要件を満たす光透過性導電材料のセンサー部とダミー部の拡大図であるといえる。なお合同とは、ある図形と、その図形に対し平行移動、回転移動、対称移動のいずれかを１回以上行うことにより重ねることができる図形との関係を言う。
【００２１】
図５は、図１に示した光透過性導電材料のセンサー部とダミー部の別の一例を示す拡大図である。図５においても、実在しない仮の境界線Ｒで、センサー部１１とダミー部１２は電気的に絶縁されている。図５においてセンサー部１１は、図形Ａ（図中太線部）が４つ集合した単位図形４１（図中太線部）から構成され、該単位図形４１は隣り合う別の単位図形との間で導通している。一方、図５のダミー部１２は単位図形５１（図中太線部）から構成され、該単位図形５１は断線部Ｃを有する。ここでセンサー部１１を構成する単位図形４１のｘ方向の周期長さ３１と、ダミー部１２を構成する単位図形５１のｘ方向の周期長さ３２は等しく、またセンサー部１１を構成する単位図形４１のｙ方向の周期長さ３１′と、ダミー部１２を構成する単位図形５１のｙ方向の周期長さ３２′も等しい。そうすると、本発明においてセンサー部の単位図形の形状とダミー部の単位図形の形状が合同であるか否かを判断する際、センサー部１１の単位図形４１と対比すべきダミー部の単位図形は、単位図形５１となる。そして図５において、単位図形４１と単位図形５１の形状は合同でないから、図５は本発明の要件を満たす光透過性導電材料のセンサー部とダミー部の拡大図であるといえる。
【００２２】
図３においてセンサー部１１は単位図形１０１１（図中太線部）から構成される。図５においてセンサー部１１は単位図形４１（前記単位図形１０１１と同じ形状の図形Ａが４つ集合した単位図形）から構成される。そしていずれの単位図形から構成されても、図３のセンサー部１１と図５のセンサー部１１の形状は同じであるが、図３のダミー部１２と図５のダミー部１２とでは単位図形の形状は異なる。このように本発明では、センサー部の金属パターンの形状が同じであっても、センサー部の単位図形の取り方（切り取り方）によって、ダミー部の単位図形の形状は同じとはならない。前記した図３および図５は、このことを明確に示すものである。
【００２３】
図２において、センサー部１１は単位図形１０１１の菱形を最小の繰り返し図形として形成された金属パターンであるが、金属パターンを形成する最小の繰り返し図形としては、これ以外にも公知の形状を用いることができ、例えば正三角形、二等辺三角形、直角三角形などの三角形、正方形、長方形、平行四辺形、台形などの四角形、（正）六角形、（正）八角形、（正）十二角形、（正）二十角形などの（正）ｎ角形、円、楕円、星形などが挙げられ、あるいはこれら任意の形状を２種類以上組み合わせた形状が挙げられる。そして、本発明の単位図形は上述の通り、これらの最小の繰り返し図形１つを単位図形とすることもできるし、複数を組み合わせて単位図形とすることもできる。また繰り返し図形の辺は、直線でなくとも例えばジグザグ線、波線などで構成されていても良い。さらに特開２００２−２２３０９５号公報で開示されているような、煉瓦積み模様状のパターンも用いることができる。本発明ではこれらいずれの形状を繰り返してなる金属パターンでも用いることができるが、液晶ディスプレイとのモアレ現象を避けるための好ましい繰り返し図形は、正方形および菱形であり、さらには２辺が作る角度の一方が３０〜７０°の菱形であることが好ましい。本発明において繰り返し図形の線間隔は４００μｍ以下が好ましい。またその線幅は２０μｍ以下が好ましく、より好ましくは１〜１５μｍ、さらに好ましくは１〜１０μｍである。なお、図２以降において、実線で示される部分は金属パターンが実在するが、破線等で示される線は説明のために設けた補助線であり、そこには金属パターンは存在しない。
【００２４】
次に単位図形の周期について説明する。図４は、図３のセンサー部１１とダミー部１２を更に拡大した図である。図４においてセンサー部が有する単位図形１０１１のｘ方向における周期長さは、単位図形１０１１の頂点３１１から右隣の単位図形の頂点３１２までの距離であり、図中周期長さ３１として示した。またｙ方向における周期長さは、単位図形１０１１の頂点４１１から下隣の単位図形の頂点４１２までの距離であり、図中周期長さ３１′として示した。一方、ダミー部が有する単位図形１０２１のｘ方向における周期は、頂点３２１から右隣の単位図形の頂点３２２までの距離であり、図中周期長さ３２として示した。またｙ方向における周期は、単位図形１０２１の頂点４２１から下隣の単位図形の頂点４２２までの距離であり、図中周期長さ３２′として示した。そして周期長さ３１と周期長さ３２、および周期長さ３１′と周期長さ３２′はそれぞれ等しい。このように本発明では、センサー部が有する単位図形の繰り返し周期とダミー部が有する単位図形の繰り返し周期は、同じ方向において等しい。なお図３では、センサー部が有する単位図形の繰り返し周期とダミー部が有する単位図形の繰り返し周期を対比する方向として、ｘ方向およびｙ方向を例示したが、特にこの方向に限定はなく任意に定めることができる。また本発明において繰り返し周期が等しいとは、同一方向において、センサー部が有する単位図形の周期長さとダミー部が有する単位図形の周期長さの比が０．９６〜１．０４の範囲内であることを意味し、より好ましくは０．９８〜１．０２の範囲内である。
【００２５】
図６は、センサー部とダミー部の別の一例を示す拡大図である。図６においてセンサー部が有する単位図形４１のｘ方向における周期長さは、単位図形４１の頂点５１１から右隣の単位図形の頂点５１２までの距離であり、図中周期長さ３３として示した。またｙ方向における周期長さは、単位図形４１の頂点６１１から下隣の単位図形の頂点６１２までの距離であり、図中周期長さ３３′として示した。一方、ダミー部が有する単位図形５１のｘ方向における周期長さは、頂点５２１から右隣の単位図形の頂点５２２までの距離であり、図中周期長さ３４として示した。またｙ方向における周期長さは、単位図形５１の頂点６２１から下隣の単位図形の頂点６２２までの距離であり、図中周期長さ３４′として示した。そして周期長さ３３と周期長さ３４、および周期長さ３３′と周期長さ３４′は等しい。この例においても、センサー部とダミー部が有する単位図形の繰り返し周期は、センサー部とダミー部とで同じ方向において等しい。
【００２６】
そして本発明では、センサー部の金属パターンの形状が同じであっても、センサー部の単位図形の取り方（切り取り方）によって、ダミー部の単位図形の形状は同じとはならない。上記した図５と図６では、センサー部の形状は同じであっても、ダミー部の形状は異なる。上記した図５と図６の関係は、前述の図３と図５の関係と同様に、このことを明確に示すものである。なお図６でも、センサー部が有する単位図形の繰り返し周期とダミー部が有する単位図形の繰り返し周期を対比する方向としてｘ方向およびｙ方向を例示したが、当該方向に限定はなく任意に定められる。
【００２７】
前記した図４において、センサー部が有する単位図形１０１１と、ダミー部が有する単位図形１０２１は合同ではない。また図６において示したセンサー部が有する単位図形４１と、ダミー部が有する単位図形５１は合同ではない。このように、本発明においてはセンサー部の単位図形とダミー部の単位図形を比較した場合、それぞれの単位図形は合同でない。ただし本発明においては、断線によってダミー部の単位図形がセンサー部の単位図形と合同でなくなる場合を除く。本願発明が除外するこのような場合には、ダミー部の単位図形が有する断線部を仮に繋ぐとそれぞれの単位図形は合同になる。そしてこの場合は、ダミー部の単位図形が断線部を有することにより、センサー部の光透過性よりもダミー部の光透過性の方が高くなり、十分に低い視認性は得られない。本発明においてセンサー部が有する単位図形とダミー部が有する単位図形は合同ではないが、ダミー部の開口率（全面積に占める金属細線のない部分の割合）は、センサー部の開口率の±１％以内の範囲であることが好ましく、より好ましくは±０．５％以内であり、更に同一であることが最も好ましい。センサー部とダミー部の開口率の差（[ダミー部の開口率]−[センサー部の開口率]）に関し、このような好ましい範囲を満たし、かつ十分に低い視認性が得られるダミー部の単位図形について、以下に説明する。
【００２８】
図７は、本発明の好ましいダミー部の単位図形を説明する概略図である。センサー部とダミー部の開口率の差を±１％以内とするためには、ダミー部の単位図形の形状を、下記（１）〜（３）のいずれかの形状とすることが好ましい。
（１）ダミー部の単位図形の形状を、センサー部が有する単位図形の辺をそれぞれの辺が重ならないよう平行移動させた形状とする。
（２）ダミー部の単位図形の形状を、センサー部が有する単位図形の辺を任意の長さに分割し、それぞれの辺が重ならないよう平行移動させた形状とする。
（３）ダミー部の単位図形の形状を、センサー部が有する単位図形の辺の任意の位置を中心として、それぞれの辺が重ならないよう、任意の方向に回転させた形状とする。
【００２９】
図７の（７−１）は、上記（１）の方法でダミー部の単位図形を形成した例である。（７−１）では説明のため、センサー部の単位図形７０の形状を点線にて示した。（７−１）ではこのセンサー部の単位図形７０に対し、一対の辺を外側に、もう一対の辺を内側に平行移動し、それぞれの辺が重ならないようにすることで、ダミー部の単位図形７１を形成している。平行移動する際の辺の移動幅としては任意であるが、センサー部の単位図形７０の線幅に対し、１５０〜１５００％の範囲内であることが好ましく、より好ましくは２００〜５００％の範囲内である。
【００３０】
図７の（７−２）は、上記（２）の方法でダミー部の単位図形を形成した例である。（７−２）においても説明のため、センサー部の単位図形７０の形状を点線にて示した。（７−２）ではこのセンサー部の単位図形７０に対し、個々の辺を任意の長さに分割し、分割した辺を外側に、あるいは内側に平行移動し、それぞれの辺が重ならないようにすることで、ダミー部の単位図形７２を形成している。平行移動する際の辺の移動幅としては任意であるが、センサー部の単位図形７０の線幅に対し、１５０〜１５００％の範囲内であることが好ましく、より好ましくは２００〜５００％の範囲内である。
【００３１】
図７の（７−３）は、上記（３）の方法で、ダミー部の単位図形を形成した例である。辺を回転させる中心は各辺の中点であることが好ましい。（７−３）においても説明のため、センサー部の単位図形７０の形状を点線にて示した。（７−３）ではこのセンサー部の単位図形７０に対し、個々の辺の中点を中心として、４辺全てを左方向に回転させ、それぞれの辺が重ならないようにすることで、ダミー部の単位図形７３を形成している。回転させる角度としては１〜３０°の範囲内であることが好ましく、より好ましくは３〜１０°の範囲内である。
【００３２】
また、ダミー部の開口率とセンサー部との開口率との差を±１％以内とするためには、ダミー部の単位図形の形状を、下記（４）の形状とすることも好ましい。
（４）ダミー部の単位図形の形状を、センサー部が有する金属パターンの等価単位図形の少なくとも２種を、それぞれの辺が重ならないよう配置した形状とする。
【００３３】
上記した、センサー部が有する金属パターンの等価単位図形について、図８を用いて説明する。図８はセンサー部が有する金属パターンの等価単位図形の一例を示した図である。
【００３４】
図８において、センサー部は単位図形１０１１の繰り返しにより形成された網目状図形８１によって形成される。単位図形１０１１は、単位図形の範囲８２（図中点線で図示）で囲った部分の中に存在する（図８中の（８−１））。また（８−１）で示した網目状図形８１は、図８の（８−２）に示したように、点線８２を図中矢印ｂだけ移動させた単位図形の範囲８３（図中実線にて図示。なおこの実線は金属パターンではなく、説明に用いるための仮の線である。）の範囲内に存在する単位図形８４（図中太線で表示）の繰り返しによっても、形成することが可能である。なお、図８の（８−３）では、このことを明確にするために、網目状図形８５が、単位図形８４の繰り返しにより形成されることを明確にした（図８の（８−３）では説明のため単位図形８４の線の太さを４種類用いて記載している）。
【００３５】
このように８−３で示した網目状図形８５は、（８−１）で示した網目状得図形８１と同じ形状をしている。このように本発明では、単位図形の形状自体は全く別の形であるが、該単位図形を繰り返して形成される網目状図形が同じとなる単位図形を、等価単位図形と呼び、前記した単位図形８４が、該等価単位図形に相当する。
【００３６】
ただし、１種の等価単位図形のみを繰り返して、ダミー部の単位図形の形状を、センサー部が有する金属パターンの等価単位図形のそれぞれの辺が重ならないよう配置した形状にした場合、該センサー部と該ダミー部の単位図形の繰り返し周期を同じ方向に対して等しくすることは困難となるため、ダミー部の単位図形の形状を、センサー部が有する金属パターンの等価単位図形の少なくとも２種を、それぞれの辺が重ならないよう配置した形状にすることが必要である。この例として図９を挙げる。図９においてセンサー部１１は、範囲９０（点線）で囲まれた等価単位図形Ｄ（図中太線部）が４つ集合した単位図形９１１（図中太線部）から構成され、該単位図形９１１は隣り合う別の単位図形との間で導通している。一方、図９のダミー部１２は範囲９１（点線）で囲まれた等価単位図形Ｅと範囲９２（点線）で囲まれた等価単位図形Ｆがそれぞれ２つずつ集合した単位図形９１２（図中太線部）から構成され、該単位図形９１２は断線部Ｃを有する。ここでセンサー部１１を構成する単位図形９１１のｘ方向の周期長さ９１１１と、ダミー部１２を構成する単位図形９１２のｘ方向の周期長さ９１１２は等しく、またセンサー部１１を構成する単位図形９１１のｙ方向の周期長さ９１１１′と、ダミー部１２を構成する単位図形９１２のｙ方向の周期長さ９１１２′も等しい。そうすると、本発明においてセンサー部の単位図形の形状とダミー部の単位図形の形状が合同であるか否かを判断する際、センサー部１１の単位図形９１１と対比すべきダミー部の単位図形は、単位図形９１２となる。そして図９において、単位図形９１１と単位図形９１２の形状は合同でないから、図９は本発明の要件を満たす光透過性導電材料のセンサー部とダミー部の拡大図であるといえる。
【００３７】
なお、図８の（８−２）に示した等価単位図形を得るために移動させる単位図形の範囲８２の好ましい移動方向としては、単位図形が周期的に配置される方向に対し、水平方向あるいは垂直方向ではなく、斜めの方向が好ましく、またその際の移動距離は５〜８０μｍであることが好ましく、より好ましくは１０〜３０μｍ、更に好ましくは１０〜２０μｍである。
【００３８】
更に、ダミー部の開口率とセンサー部との開口率との差を±１％以内とするためには、ダミー部の単位図形の形状を、下記（５）の形状とすることも好ましい。
（５）ダミー部の単位図形の形状を、センサー部が有する金属パターンの最小の繰り返し図形の内、辺を共有しない関係にある複数のものを、それぞれが接しないよう配置した形状とする。
【００３９】
図１０は、上記（５）の方法でダミー部の単位図形を形成した例である。センサー部１１に太線で示される単位図形には、センサー部１１を構成する最小の繰り返し図形である菱形４つが、それぞれの頂点でのみ接しており辺を共有しない関係にある。この４つの菱形を、それぞれの重心を中心として左方向に回転させ、それぞれが接しないようにすることで、ダミー部１２の単位図形を形成している。これら４つの菱形は互いに接していないため、これらの間隙がダミー部の単位図形における断線部になる。最小の繰り返し図形を、それぞれが接しないよう配置する方法は限定されないが、それぞれの重心などを中心として回転させることにより配置することが好ましい。ここでセンサー部１１を構成する単位図形のｘ方向の周期長さＣｘと、ダミー部１２を構成する単位図形のｘ方向の周期長さＣｘは等しく、またセンサー部１１を構成する単位図形のｙ方向の周期長さＣｙ１と、ダミー部１２を構成する単位図形のｙ方向の周期長さＣｙ２も等しい。そうすると、本発明においてセンサー部の単位図形の形状とダミー部の単位図形の形状が合同であるか否かを判断する際、センサー部１１の単位図形と対比すべきダミー部の単位図形は、図１０のダミー部１２に太線で示される菱形４つの組みとなる。そして図１０において、センサー部１１の単位図形とダミー部１２の単位図形の形状は合同でないから、図１０は本発明の要件を満たす光透過性導電材料のセンサー部とダミー部の拡大図であるといえる。
【００４０】
本発明におけるダミー部を構成する単位図形の好ましい線幅は、センサー部の単位図形の線幅の±２μｍ以内の範囲であることが好ましく、より好ましくは±１μｍ以内、さらには同じであることが好ましい。
【００４１】
さらに本発明においては、上記説明したセンサー部の単位図形は、センサー部内で、単位図形と単位図形との間で導通があるのであれば、該単位図形の一部に断線部を有する単位図形であってもよい。ただし、断線部を有する単位図形の総面積が全図形面積に占める割合は３０％以下であることが好ましく、より好ましくは１０％以下、さらに好ましくは５％以下である。
【００４２】
本発明において網目状パターンは金属、その中でも特に金、銀、銅、ニッケル、アルミニウム、およびこれらの複合材からなることが好ましい。これら金属パターンを形成する方法としては、銀塩感光材料を用いる方法、同方法を用い更に得られた銀画像に無電解めっきや電解めっきを施す方法、スクリーン印刷法を用いて銀ペーストなどの導電性インキを印刷する方法、銀インクなどの導電性インクをインクジェット法で印刷する方法、無電解めっき等で銅などの金属からなる導電性層を形成する方法、あるいは蒸着やスパッタなどで導電性層を形成し、その上にレジスト膜を形成し、露光、現像によりレジスト膜にパターンを形成し、導電性層をエッチングし、レジスト膜を除去することで得る方法、銅箔などの金属箔を貼り、さらにその上にレジスト膜を形成し、露光、現像によりレジスト膜にパターンを形成し、金属箔をエッチングし、レジスト膜を除去することで得る方法など、公知の方法を用いることができる。中でも製造される金属パターンの厚みが薄くでき、さらに極微細な金属パターンも容易に形成できる銀塩拡散転写法を用いることが好ましい。これらの手法で作製した金属パターンの厚みは厚すぎると後工程が困難になる場合があり、また薄すぎるとタッチパネルとして必要な導電性を確保し難くなる。よって、その厚みは０．０５〜５μｍが好ましく、より好ましくは０．０５〜１μｍである。
【００４３】
本発明の光透過性導電材料に用いる基材としては、プラスチック、ガラス、ゴム、セラミックス等が好ましく用いられる。これら基材は全光線透過率が６０％以上であるものが好ましい。プラスチックの中でも、フレキシブル性を有する樹脂フィルムは、取扱い性が優れている点で好適に用いられる。基材として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの樹脂フィルムが挙げられる。基材には易接着層など公知の層が設けられていても良い。
【００４４】
本発明の光透過性導電材料は基材とその上に位置する網目状パターン以外にも、ハードコート層、反射防止層、粘着層、防眩層など公知の層を網目状パターンの上（基材から遠い側）、あるいは基材の網目状パターンとは反対の側に設けることができる。また、基材と網目状パターンとの間に、物理現像核層、易接着層、接着剤層など公知の層を設けることができる。
【実施例】
【００４５】
以下、本発明に関し実施例を用いて詳細に説明するが、本発明はその技術的範囲を超えない限り、以下の実施例に限定されるものではない。
【００４６】
＜実施例１＞
基材として、厚み１００μｍのポリエチレンテレフタレートフィルムを用いた。なおこの基材の全光線透過率は９１％であった。
【００４７】
次に下記処方に従い、物理現像核層塗液を作製し、基材上に塗布、乾燥して物理現像核層を設けた。
【００４８】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００４９】
＜物理現像核層塗液の調製＞銀塩感光材料の１ｍ２あたりの量
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１００００）
【００５０】
続いて、基材に近い方から順に下記組成の中間層、ハロゲン化銀乳剤層、および保護層を上記物理現像核液層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００５１】
＜中間層組成／銀塩感光材料の１ｍ２あたりの量＞
ゼラチン                                          ０．５ｇ
界面活性剤（Ｓ−１）                                  ５ｍｇ
染料１                                                ５ｍｇ
【００５２】
【化１】
2015156210.tif 000003
【００５３】
【化２】
2015156210.tif 000004
【００５４】
＜ハロゲン化銀乳剤層組成／銀塩感光材料の１ｍ２あたりの量＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００５５】
＜保護層組成／銀塩感光材料の１ｍ２あたりの量＞
ゼラチン                                              １ｇ
不定形シリカマット剤（平均粒径３．５μｍ）          １０ｍｇ
界面活性剤（Ｓ−１）                                １０ｍｇ
【００５６】
このようにして得た銀塩感光材料と、図１のパターンを有する透過原稿を密着し、水銀灯を光源とする密着プリンターで４００ｎｍ以下の光をカットする樹脂フィルターを介して露光した。なお、図１のパターンのセンサー部１１は、線幅７μｍ、一辺３００μｍ、狭い方の角度６０°、短軸対角線長さ３００μｍの菱形を最小の繰り返し図形としており、これが単位図形である。ダミー部１２は線幅７μｍで、図３に示した単位図形１０２１が周期的に列ぶことで形成され、該単位図形１０２１は、前記したセンサー部の単位図形に対し、それぞれの辺の中点を中心として左方向へ８°回転させた形状を有する。センサー部とダミー部の単位図形の繰り返し周期はｘ方向、ｙ方向とも等しく、センサー部とダミー部の開口率の差は０％である。
【００５７】
その後、露光後の銀塩感光材料を下記拡散転写現像液中に２０℃で６０秒間浸漬した後、続いてハロゲン化銀乳剤層、中間層、および保護層を４０℃の温水で水洗除去し、乾燥処理した。こうして図１の形状を持つ銀パターンを有する光透過性導電材料１を得た。なお、得られた光透過性導電材料が有する銀パターンの線幅、線間隔、形状は、透過原稿画像の線幅、線間隔、形状と全く同じであった。金属パターンの膜厚は共焦点顕微鏡で調べると、０．１μｍであった。
【００５８】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
水を加えて全量を１０００ｍｌに調製し、ｐＨを１２．２に調整した。
【００５９】
＜実施例２＞
下記の透過原稿を用いた以外は実施例１と同様にして、光透過性導電材料２を得た。
透過原稿：図１のパターンを有する透過原稿であるが、センサー部１１は実施例１と同じ形状であり、単位図形は図５で示される単位図形４１である。ダミー部１２は、図５で示される単位図形５１が周期的に列ぶことで形成され、該単位図形５１は、センサー部１１が有する単位図形４１のそれぞれの辺が重ならないよう、それぞれ１０μｍ平行移動させた形状を有する。センサー部とダミー部の単位図形の繰り返し周期はｘ方向、ｙ方向とも等しく、センサー部とダミー部の開口率の差は０％である
【００６０】
＜実施例３＞
下記の透過原稿を用いた以外は実施例１と同様にして、光透過性導電材料３を得た。
透過原稿：図１のパターンを有する透過原稿であるが、センサー部１１は実施例１と同じ形状であり、単位図形は図９で示される単位図形９１１である。ダミー部１２は、センサー部１１が有する金属パターンの等価単位図形の少なくとも２種（一方の単位図形は、図８の８−１で切り取った単位図形の範囲８２を、水平方向に１０μｍ、垂直方向に５μｍずらすことで得た等価単位図形（移動距離は１１．１８μｍ）と、図８の８−１で切り取った単位図形の範囲８２を水平方向に１５μｍ、垂直方向に１０μｍずらすことで得た等価単位図形（移動距離は１８μｍ））のそれぞれ２つずつを、それぞれの等価単位図形の辺が重ならないよう、図９で示される単位図形９１２のように配置した形状を有する。センサー部とダミー部の単位図形の繰り返し周期はｘ方向、ｙ方向とも等しく、センサー部とダミー部の開口率の差は０％である。
【００６１】
＜実施例４＞
下記の透過原稿を用いた以外は実施例１と同様にして、光透過性導電材料４を得た。
透過原稿：図１のパターンを有する透過原稿であるが、センサー部１１は実施例１と同じ形状であり、単位図形は図１０で示される単位図形である。ダミー部１２は、図１０で示される菱形４つを一組とした単位図形が周期的に列ぶことで形成され、該単位図形は、センサー部１１が有する最小の繰り返し図形である菱形の内、頂点で接する４個について、それぞれの重心を中心として左方向へ８°回転させた形状を有する。センサー部とダミー部の単位図形の繰り返し周期はｘ方向、ｙ方向とも等しく、センサー部とダミー部の開口率の差は０％である。
【００６２】
＜比較例１＞
下記の透過原稿を用いた以外は実施例１と同様にして、光透過性導電材料５を得た。
透過原稿：図１のパターンを有する透過原稿であるが、センサー部１１とダミー部１２は実施例１のセンサー部と同じ形状であり、それらの境界部が図１１で示される形状からなる。なお、図１１におけるセンサー部１１とダミー部１２の境界部は、実在しない仮の境界線Ｒ上で断線幅１０μｍの断線部が設けられている。断線部を除くセンサー部とダミー部の開口率の差は０％である。
【００６３】
＜比較例２＞
下記の透過原稿を用いた以外は実施例１と同様にして、光透過性導電材料６を得た。
透過原稿：図１のパターンを有する透過原稿であるが、センサー部１１は実施例１と同じ形状であり、ダミー部１２は、半径２．０５μｍのドットが１００００μｍ２あたり３９個ランダムに存在する図形からなる。センサー部とダミー部の開口率の差は０％である。
【００６４】
＜比較例３＞
下記の透過原稿を用いた以外は実施例１と同様にして、光透過性導電材料７を得た。
透過原稿：図１のパターンを有する透過原稿であるが、センサー部１１は実施例１と同じ形状であり、ダミー部１２はセンサー部１１と同じ最小の繰り返し図形が周期的に列ぶことで形成されるが、ダミー部１２の最小の繰り返し図形の全ての菱形の辺の中点において、断線幅２０μｍの断線部が設けられている。センサー部とダミー部の開口率の差（[ダミー部の開口率]−[センサー部の開口率]）は＋０．３％である。
この光透過性導電材料７は、断線によってダミー部の単位図形がセンサー部の単位図形と合同でなくなる場合である。
【００６５】
得られた光透過性導電材料１〜７について、視認性、信頼性について、評価した。結果を表１に示す。なお、視認性は、得られた光透過性導電材料をライトテーブルに載せ、センサー部とダミー部の差が一目瞭然であるレベルを「１」、光透過性導電材料から５０ｃｍの距離で観察し、センサー部とダミー部の差が認識できるレベルを「２」、光透過性導電材料から２０ｃｍ程の距離で観察し、センサー部とダミー部の差が認識できるレベルを「３」、光透過性導電材料から２０ｃｍの距離で観察しても、センサー部とダミー部の差が認識できなかったレベルを「４」として評価した。また信頼性はそれぞれの光透過性導電材料を１００枚作製し、図１のパターンにおいて端子部１５、配線部１４、センサー部、配線部１４、端子部１５により電気的に接続されている回路とその隣の回路で短絡を起こしている枚数で評価した。
【００６６】
【表１】
2015156210.tif 000005
【００６７】
表１より、本発明の実施例１〜４は比較例１〜３と比べて、金属パターンの視認性が低く、短絡の発生が低減されていることが分かる。
【符号の説明】
【００６８】
１  光透過性導電材料
２  基材
１１  センサー部
１２  ダミー部
１３  非画像部
１４  配線部
１５  端子部
３１、３２、３３、３４、９１１１、９１１２、Ｃｘ、Ｃｙ１、Ｃｙ２  周期長さ
３１１、３１２、３２１、３２２  頂点
１０１１、１０１２、１０２１、４１、５１、７１〜７３、９１１、９１２  単位図形
８１、８５  網目状図形
８２、８３、９０、９１、９２  等価単位図形の範囲
Ｒ  仮の境界線
ｂ  矢印
Ａ  図形
Ｃ  断線部
Ｄ、Ｅ、Ｆ  等価単位図形
【図１】
2015156210.tif 000006
【図２】
2015156210.tif 000007
【図３】
2015156210.tif 000008
【図４】
2015156210.tif 000009
【図５】
2015156210.tif 000010
【図６】
2015156210.tif 000011
【図７】
2015156210.tif 000012
【図８】
2015156210.tif 000013
【図９】
2015156210.tif 000014
【図１０】
2015156210.tif 000015
【図１１】
2015156210.tif 000016